【手続補正書】
【提出日】平成20年6月4日(2008.6.4)
【手続補正１】
【補正対象書類名】明細書
【補正対象項目名】発明の名称
【補正方法】変更
【補正の内容】
【発明の名称】光記録・再生装置、チルト補正方法、プログラム、及び記録媒体
【手続補正２】
【補正対象書類名】明細書
【補正対象項目名】特許請求の範囲
【補正方法】変更
【補正の内容】
【特許請求の範囲】
【請求項１】  （１）凹部又は溝部を有する第１領域と、実質上平板状の第２領域とが設けられた媒体への集光手段と、（２）前記媒体からの反射光を検出する信号検出手段と、を有する光ヘッドと、
前記光ヘッドの前記集光手段を経由した出射光の光軸と前記媒体との相対角度を補正するためのチルト補正手段とを具備した、光記録又は再生を行う光記録・再生装置であって、
前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記チルト補正手段を動作させることにより、前記相対角度を補正することを特徴とする光記録・再生装置。
【請求項２】  前記第１領域は、ピット列からなる領域、グルーブ領域、又はサンプルピット領域であり、
前記第２領域は、平板ランド領域であることを特徴とする請求項１記載の光記録・再生装置。
【請求項３】  前記値が実質上最大となる様に、前記チルト補正手段を動作させるとは、前記第１領域における反射光の前記検出レベルをレベル１とし、前記第２領域での反射光の前記検出レベルをレベル２とした場合、次式
【数１】
｜レベル２−レベル１｜／｜レベル２＋レベル１｜
により得られる値が実質上最大となるように、前記チルト補正手段を動作させることであることを特徴とする請求項１記載の光記録・再生装置。
【請求項４】  前記媒体は、前記第１領域としてのピット列からなる領域と前記第２領域としての平板ランド領域とが平面内で交互に配置されたトラックを有する情報再生用媒体又は、前記第１領域としてのグルーブ領域と前記第２領域としての平板ランド領域とが平面内で交互に配置されたトラックを有する情報記録用媒体であることを特徴とする請求項１〜３の何れか一つに記載の光記録・再生装置。
【請求項５】  前記媒体は、情報を記録するための、前記第２領域としての平板ランド領域と、サンプルサーボ法によるトラッキング誤差信号を検出するための、前記第１領域としてのサンプルピット領域とが、平面内に配置された情報記録用媒体であることを特徴とする請求項１〜３の何れか一つに記載の光記録・再生装置。
【請求項６】  前記媒体は、サンプルサーボ法によるトラッキング誤差信号を検出するためのサンプルピット領域と、前記サンプルピット領域を取り囲む、前記第２領域としての平板ランド領域と、情報を記録するためのグルーブ領域とを有している情報記録用媒体であり、
前記サンプルピット領域又は前記グルーブ領域の何れか一方の領域からの反射光を前記第１領域からの反射光として検出するように調整されていることを特徴とする請求項１〜３の何れか一つに記載の光記録・再生装置。
【請求項７】  前記チルト補正手段は、前記集光手段の位置に対応する、前記媒体上のトラックの方向を回動の中心軸の方向として、前記集光手段を回動可能に構成した集光手段駆動装置であることを特徴とする請求項１〜３の何れか一つに記載の光記録・再生装置。
【請求項８】  前記チルト補正手段は、前記光ヘッドに搭載され、複数の領域を有して印加電圧によりそれぞれの領域を透過する光束の位相分布を可変できる液晶素子であることを特徴とする請求項１〜３の何れか一つに記載の光記録・再生装置。
【請求項９】  前記光ヘッドを移送するためのガイド部材を備え、
前記チルト補正手段は、前記光ヘッドの送り方向に直交する方向を軸方向として、前記ガイド部材を回動可能又は変形可能とするメカニズムであることを特徴とする請求項１〜３の何れか一つに記載の光記録・再生装置。
【請求項１０】  （１）ピット列又はグルーブ領域と、平板ランド領域とが平面内で交互に形成されたトラックを有する媒体への集光手段と、（２）前記媒体からの反射光を検出する信号検出手段と、を有する光ヘッドと、
前記光ヘッドの前記集光手段を経由した出射光の光軸と前記媒体との相対角度を補正するチルト補正手段とを具備した、光記録又は再生を行う光記録・再生装置であって、
前記集光手段による光スポットにより、前記媒体に対してフォーカスサーボ制御をかけた状態で、前記光スポットによる前記媒体からの反射光を前記信号検出手段で受光検出したとき、前記ピット列やグルーブ領域での反射光レベル（レベルＧ）と前記平板ランド領域での反射光レベル（レベルＬ）において、次式
【数２】
｜レベルＬ−レベルＧ｜／｜レベルＬ＋レベルＧ｜
を実質上最大とするように、前記チルト補正手段を動作させて、前記相対角度を補正することを特徴とする光記録・再生装置。
【請求項１１】  （１）平板ランド領域とサンプルサーボ法によるトラッキング誤差信号を検出するためのサンプルピット領域とが平面内に形成された媒体への集光手段と、（２）前記媒体からの反射光を検出する信号検出手段と、を有する光ヘッドと、
前記光ヘッドの前記集光手段を経由した出射光の光軸と前記媒体との相対角度を補正するチルト補正手段とを具備した、光記録又は再生を行う光記録・再生装置であって、
前記集光手段による光スポットにより、前記媒体に対してフォーカスサーボをかけた状態で、前記光スポットによる前記媒体からの反射光を前記信号検出手段で受光検出したとき、前記サンプルピット領域での反射光レベル（レベルＳ）と前記平板ランド領域での反射光レベル（レベルＬ）において、次式
【数３】
｜レベルＬ−レベルＳ｜／｜レベルＬ＋レベルＳ｜
を実質上最大とするように、前記チルト補正手段を動作させて、前記相対角度を補正することを特徴とする光記録・再生装置。
【請求項１２】  （１）凹部又は溝部を有する第１領域と、実質上平板状の第２領域とが設けられた媒体への集光手段と、（２）前記媒体からの反射光を検出する信号検出手段と、を有する光ヘッドを備えた、光記録又は再生を行う光記録・再生装置における、前記集光手段を経由した出射光の光軸と前記媒体との相対角度を補正するためのチルト補正方法であって、
前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記相対角度を補正することを特徴とするチルト補正方法。
【請求項１３】  前記第１領域は、ピット列からなる領域、グルーブ領域、又はサンプルピット領域であり、
前記第２領域は、平板ランド領域であることを特徴とする請求項１２記載のチルト補正方法。
【請求項１４】  前記値が実質上最大となる様に、前記相対角度を補正するとは、前記第１領域における反射光の前記検出レベルをレベル１とし、前記第２領域での反射光の前記検出レベルをレベル２とした場合、次式
【数１】
｜レベル２−レベル１｜／｜レベル２＋レベル１｜
により得られる値が実質上最大となるように、前記相対角度を補正することであることを特徴とする請求項１２記載のチルト補正方法。
【請求項１５】  請求項１〜９の何れか一つに記載の光記録・再生装置の、前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記チルト補正手段を動作させる機能をコンピュータに実現させるプログラム。
【請求項１６】  請求項１０に記載の光記録・再生装置の、前記集光手段による光スポットにより、前記媒体に対してフォーカスサーボ制御をかけた状態で、前記光スポットによる前記媒体からの反射光を前記信号検出手段で受光検出したとき、前記ピット列やグルーブ領域での反射光レベル（レベルＧ）と前記平板ランド領域での反射光レベル（レベルＬ）において、次式
【数２】
｜レベルＬ−レベルＧ｜／｜レベルＬ＋レベルＧ｜
を実質上最大とするように、前記チルト補正手段を動作させる機能をコンピュータに実現させるプログラム。
【請求項１７】  請求項１１に記載の光記録・再生装置の、前記集光手段による光スポットにより、前記媒体に対してフォーカスサーボをかけた状態で、前記光スポットによる前記媒体からの反射光を前記信号検出手段で受光検出したとき、前記サンプルピット領域での反射光レベル（レベルＳ）と前記平板ランド領域での反射光レベル（レベルＬ）において、次式
【数３】
｜レベルＬ−レベルＳ｜／｜レベルＬ＋レベルＳ｜
を実質上最大とするように、前記チルト補正手段を動作させる機能をコンピュータに実現させるプログラム。
【請求項１８】  請求項１２〜１４の何れか一つに記載のチルト補正方法の、前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記相対角度を補正するステップをコンピュータに実行させるプログラム。
【請求項１９】  請求項１５〜１７の何れかに記載のプログラムを記録した記録媒体であって、コンピュータにより処理可能な記録媒体。
【請求項２０】  請求項１８に記載のプログラムを記録した記録媒体であって、コンピュータにより処理可能な記録媒体。
【手続補正３】
【補正対象書類名】明細書
【補正対象項目名】０００１
【補正方法】変更
【補正の内容】
【０００１】
【発明の属する技術分野】
本発明は、光ディスク等の媒体に光学的に情報を記録又は、再生することを特徴とする光記録・再生装置、チルト補正方法、プログラム、及び記録媒体に関する。
【手続補正４】
【補正対象書類名】明細書
【補正対象項目名】００２０
【補正方法】変更
【補正の内容】
【００２０】
【課題を解決するための手段】
第１の本発明（請求項１記載の本発明に対応）は、（１）凹部又は溝部を有する第１領域と、実質上平板状の第２領域とが設けられた媒体への集光手段と、（２）前記媒体からの反射光を検出する信号検出手段と、を有する光ヘッドと、
前記光ヘッドの前記集光手段を経由した出射光の光軸と前記媒体との相対角度を補正するためのチルト補正手段とを具備した、光記録又は再生を行う光記録・再生装置であって、
前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記チルト補正手段を動作させることにより、前記相対角度を補正する光記録・再生装置である。
【手続補正５】
【補正対象書類名】明細書
【補正対象項目名】００２８
【補正方法】変更
【補正の内容】
【００２８】
又、第８の本発明（請求項８記載の本発明に対応）は、前記チルト補正手段は、前記光ヘッドに搭載され、複数の領域を有して印加電圧によりそれぞれの領域を透過する光束の位相分布を可変できる液晶素子である上記第１〜３の何れか一つの本発明の光記録・再生装置である。
【手続補正６】
【補正対象書類名】明細書
【補正対象項目名】００３１
【補正方法】変更
【補正の内容】
【００３１】
又、第１０の本発明（請求項１０記載の本発明に対応）は、（１）ピット列又はグルーブ領域と、平板ランド領域とが平面内で交互に形成されたトラックを有する媒体への集光手段と、（２）前記媒体からの反射光を検出する信号検出手段と、を有する光ヘッドと、
前記光ヘッドの前記集光手段を経由した出射光の光軸と前記媒体との相対角度を補正するチルト補正手段とを具備した、光記録又は再生を行う光記録・再生装置であって、
前記集光手段による光スポットにより、前記媒体に対してフォーカスサーボ制御をかけた状態で、前記光スポットによる前記媒体からの反射光を前記信号検出手段で受光検出したとき、前記ピット列やグルーブ領域での反射光レベル（レベルＧ）と前記平板ランド領域での反射光レベル（レベルＬ）において、次式
【手続補正７】
【補正対象書類名】明細書
【補正対象項目名】００３４
【補正方法】変更
【補正の内容】
【００３４】
又、第１１の本発明（請求項１１記載の本発明に対応）は、（１）平板ランド領域とサンプルサーボ法によるトラッキング誤差信号を検出するためのサンプルピット領域とが平面内に形成された媒体への集光手段と、（２）前記媒体からの反射光を検出する信号検出手段と、を有する光ヘッドと、
前記光ヘッドの前記集光手段を経由した出射光の光軸と前記媒体との相対角度を補正するチルト補正手段とを具備した、光記録又は再生を行う光記録・再生装置であって、
前記集光手段による光スポットにより、前記媒体に対してフォーカスサーボをかけた状態で、前記光スポットによる前記媒体からの反射光を前記信号検出手段で受光検出したとき、前記サンプルピット領域での反射光レベル（レベルＳ）と前記平板ランド領域での反射光レベル（レベルＬ）において、次式
【手続補正８】
【補正対象書類名】明細書
【補正対象項目名】００３７
【補正方法】変更
【補正の内容】
【００３７】
又、第１２の本発明（請求項１２記載の本発明に対応）は、（１）凹部又は溝部を有する第１領域と、実質上平板状の第２領域とが設けられた媒体への集光手段と、（２）前記媒体からの反射光を検出する信号検出手段と、を有する光ヘッドを備えた、光記録又は再生を行う光記録・再生装置における、前記集光手段を経由した出射光の光軸と前記媒体との相対角度を補正するためのチルト補正方法であって、
前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記相対角度を補正するチルト補正方法である。
【手続補正９】
【補正対象書類名】明細書
【補正対象項目名】００４１
【補正方法】変更
【補正の内容】
【００４１】
又、第１５の本発明（請求項１５記載の本発明に対応）は、上記第１〜９の何れか一つの本発明の光記録・再生装置の、前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記チルト補正手段を動作させる機能をコンピュータに実現させるプログラムである。
又、第１６の本発明（請求項１６記載の本発明に対応）は、上記第１０の本発明の光記録・再生装置の、前記集光手段による光スポットにより、前記媒体に対してフォーカスサーボ制御をかけた状態で、前記光スポットによる前記媒体からの反射光を前記信号検出手段で受光検出したとき、前記ピット列やグルーブ領域での反射光レベル（レベルＧ）と前記平板ランド領域での反射光レベル（レベルＬ）において、次式
（数２）
｜レベルＬ−レベルＧ｜／｜レベルＬ＋レベルＧ｜
を実質上最大とするように、前記チルト補正手段を動作させる機能をコンピュータに実現させるプログラムである。
又、第１７の本発明（請求項１７記載の本発明に対応）は、上記第１１の本発明の光記録・再生装置の、前記集光手段による光スポットにより、前記媒体に対してフォーカスサーボをかけた状態で、前記光スポットによる前記媒体からの反射光を前記信号検出手段で受光検出したとき、前記サンプルピット領域での反射光レベル（レベルＳ）と前記平板ランド領域での反射光レベル（レベルＬ）において、次式
（数３）
｜レベルＬ−レベルＳ｜／｜レベルＬ＋レベルＳ｜
を実質上最大とするように、前記チルト補正手段を動作させる機能をコンピュータに実現させるプログラムである。
【手続補正１０】
【補正対象書類名】明細書
【補正対象項目名】００４２
【補正方法】変更
【補正の内容】
【００４２】
又、第１８の本発明（請求項１８記載の本発明に対応）は、上記第１２〜１４の何れか一つの本発明のチルト補正方法の、前記集光手段により形成された光スポットを用いて、前記媒体に対してフォーカスサーボ制御をかけた状態で、前記信号検出手段により受光検出される前記媒体からの反射光の検出レベルの内、前記第１領域における反射光の検出レベルと、前記第２領域での反射光の検出レベルとの差に基づいた値が実質上最大となる様に、前記相対角度を補正するステップをコンピュータに実行させるプログラムである。
【手続補正１１】
【補正対象書類名】明細書
【補正対象項目名】００４３
【補正方法】変更
【補正の内容】
【００４３】
又、第１９の本発明（請求項１９記載の本発明に対応）は、上記第１５〜１７の何れか一つの本発明のプログラムを記録した記録媒体であって、コンピュータにより処理可能な記録媒体である。
【手続補正１２】
【補正対象書類名】明細書
【補正対象項目名】００４４
【補正方法】変更
【補正の内容】
【００４４】
又、第２０の本発明（請求項２０記載の本発明に対応）は、上記第１８の本発明のプログラムを記録した記録媒体であって、コンピュータにより処理可能な記録媒体である。